(57)【特許請求の範囲】
【請求項１】
腫瘍関連抗原に対するモノクローナル抗体であって、該抗原が、肺の腺癌だけでなく、乳房、卵巣および前立腺の癌群からの腫瘍に由来し、該抗体は多形性上皮性ムチン（ＰＥＭ）と反応し、さらに該抗体はハイブリドーマＤＳＭ  ＡＣＣ２０２２によって生産されるモノクローナル抗体ＢＷ８３５。
【請求項２】
請求項１記載のモノクローナル抗体ＢＷ８３５を産生するハイブリドーマ細胞株ＤＳＭ  ＡＣＣ２０２２。
【請求項３】
請求項１記載の抗体を含有する腫瘍関連抗原検出用診断助剤。
【請求項４】
配列番号１又は配列番号３の塩基配列から成るポリヌクレオチド。
【請求項５】
配列番号２又は配列番号４のアミノ酸配列から成るポリペプチド。
【発明の詳細な説明】
【０００１】
【産業上の利用分野】
本発明は、肺の腺癌の他に、主として乳房、卵巣および前立腺の癌群に由来する腫瘍関連抗原に対するモノクローナル抗体（これは、さらに多形性上皮性ムチン（ＰＥＭ）とも反応する）、その製造および使用並びに該抗体により限定される抗原決定基（エピトープ）の診断および治療のための使用に関する。
【０００２】
【従来の技術】
ハイブリドーマ技術により、未精製の抗原に対してすら特異的モノクローナル抗体（MAbs)を調製することが可能となった。 この事実により、ある種のヒトの腫瘍上に存在するが、しかしまたヒト正常組織上にも存在する、多数の腫瘍関連抗原（TAAs)を識別することが可能となった。そのような腫瘍関連抗原の例は、 ＣＥＡ（癌胎児性抗原）、Ｎ−ＣＡＭ（神経細胞粘着分子）およびＰＥＭ（多形性上皮性ムチン）である。
【０００３】
ＣＥＡは主として消化管の腺癌に発現し、Ｎ−ＣＡＭは神経外胚葉から発生する腫瘍に存在し、ＰＥＭは主に乳房および卵巣の癌に出現する。前出の腫瘍関連抗原は、ネズミの免疫系に対して多数の免疫原性エピトープを担う高分子糖蛋白である。凍結保存ヒト組織に関する比較免疫組織化学による研究により、腫瘍関連抗原上のエピトープＩをそのイディオタイプ（可変領域）で認識するモノクローナル抗体の特異性は、エピトープIIを識別するモノクローナル抗体とは異なる組織結合性を示しうることが明らかになった（Bucheggerら (1984)、Int. J. Cancer 33:643-649)。
【０００４】
この観察結果については様々な理由が考えられる：ある種の組織におけるエピトープの隠蔽性、異なる抗原上の交差反応性エピトープ、組織から血漿中へ分泌された抗原の構造変化等である（Bossletら (1988)、 Eur. J. Nucl. Med. 14: 523-528)。このことから、モノクローナル抗体の特異性は、認識された抗原の限定によって明確に与えられるものではなく、凍結保存ヒト組織に対するその免疫組織化学的特異性およびヒト血清または血漿中に循環している腫瘍関連抗原の構造についてのその血清学的特異性と共に、モノクローナル抗体可変領域の正確な読み取りにより与えられると結論付けられよう。例えばヒトの母乳からShimizuによって分離されたＰＥＭ（M. Shimizu および K. Yamauchi (1982)、 J. Biochem. 91: 515-524）に対する多数のモノクローナル抗体が調製され、 これらは異なるエピトープに結合し、従って、異なる特性を有する(Girlingら (1989)、 43:1072-1076、 Taylor-Paradimitriouら (1981)、 Int. J. Cancer、 28: 17-21)。
【０００５】
ある種の抗ＰＥＭモノクローナル抗体（HMFG1、2）は、 ヒトの乳房および卵巣の癌と強く反応するが、しかしまた正常ヒト組織ともかなりの反応を示す(Taylor-Paradimitriouら (1981))。 他のモノクローナル抗体（SM3、 Girlingら(1989))は、乳房および卵巣の癌とは弱くかつ非均質的に反応するが、他方正常ヒト組織とはそれ程には反応しない。
【０００６】
【発明が解決しようとする課題およびその手段】
驚くべきことに、我々は、肺の腺癌の他、乳房、卵巣および前立腺の癌と強く反応するが、正常ヒト組織とは弱く結合するだけであり、その上、ヒト血清または血漿中のＰＥＭを極めて特異的に検出し得る抗ＰＥＭモノクローナル抗体を産生することに成功した。免疫化学的抗原決定法は、当業者にとり既知である(Gosling(1990)、 Clin. Chem. 36/8、 1408-1427 参照）。 この関連では、例えば粒子補強比濁法つまり濁度測定のような均質分析と、固相分析とも呼ばれる非均質法間には本質的な区別が為される。
固相分析は、固相に結合させた捕捉用抗体により分析対象抗原が被験サンプルから固定され、該固定化抗原を検出用標識分子を付与された（連結させた）第二の抗体によって検出できるようデザインされている。このタイプの検出用標識は、当業者にとり既知で、例えば、酵素、化学蛍光物質もしくは電気化学的蛍光物質、放射性または他の着色性標識である。
【０００７】
モノクローナル抗体ＢＷ８３５を産生するハイブリドーマ細胞株ＢＷ８３５は、ＤＳＭ（Deutsche Sammlung von Mikroorganismen und Zellkulturen GmbH、 Mascheroder Weg 1b、 D-3300 Braunschweig）に、 寄託番号ＤＳＭ ＡＣＣ２０２２の下に１９９１年１０月１１日に寄託された。
本発明にいう抗体には抗体断片も含まれる。
【０００８】
このモノクローナル抗体(ＢＷ８３５)の調製および特性は以下に記載する：
本モノクローナル抗体は、Ｂａｌｂ／ｃマウスをＭＣＦ−７およびＳＷ−６１３乳癌細胞株を用いて、文献により既知である方法で免疫して作製した。
【０００９】
凍結保存ヒト癌および正常ヒト組織上の、モノクローナル抗体ＢＷ８３５により限定されたエピトープの分布を、モノクローナル抗体ＳＭ−３（Girlingら 1989)と比較しながら、 表１、表２にそれぞれ示す。 データは、ＡＰＡＡＰ法 (Cordellら (1984)、 J. Histochem. Cytochem. 32: 219）を用いる免疫組織化学的検出に基づいている。 モノクローナル抗体ＢＷ８３５は、１５の被験乳癌のうち１５のすべての乳癌と強く反応し、一方モノクローナル抗体ＳＭ−３は、１５の被験乳癌のうち１１しか検出できないことがはっきりとわかる。
【００１０】
卵巣の癌の場合、モノクローナル抗体ＢＷ８３５は、８被験腫瘍のうち６腫瘍と強く反応し、モノクローナル抗体ＳＭ−３は、８腫瘍のうち６腫瘍中の数個の細胞と反応した。テストした他のすべての腫瘍タイプについては、モノクローナル抗体ＢＷ８３５は、特に肺の腺癌および前立腺の癌と量的に強い反応を示した。これらのデータは、モノクローナル抗体ＢＷ８３５は、文献に開示されたモノクローナル抗体ＳＭ−３よりも量的に強い反応性を有し、より多くの悪性腫瘍を検出することを示している。
【００１１】
モノクローナル抗体ＢＷ８３５の正常ヒト組織への結合は表２に示した。この場合にもデータを得るためにＡＰＡＡＰ技法を採用した。モノクローナル抗体ＢＷ８３５により限定されるエピトープは、乳房の管上皮および膵臓の管上皮上に強く発現し、肺の表層上皮上、いくつかの神経繊維上および腎集合管および腎糸球体上には弱く発現していた。他のすべての被験正常組織については陰性であった。
【００１２】
その高い選択性ゆえに、モノクローナル抗体ＢＷ８３５は、またインターナルイメージ、抗パラトープモノクローナル抗体インデューサーとして用いることもできる。このタイプのモノクローナル抗体は、エピトープワクチンとしてヒト腫瘍の治療に利用できるかもしれない。
【００１３】
モノクローナル抗体ＢＷ８３５によって限定されるエピトープは、モノクローナル抗体ＳＭ−３によって限定されるＰＥＭ上に存在することが示されたが、これは、二重抗原決定基分析法（double-determinant assay）によって確認された。
【００１４】
【表１】
0003996649.tif 000002
【００１５】
【表２】
0003996649.tif 000003
【００１６】
トラップとして用いられたモノクローナル抗体ＢＷ８３５は、Ｔ４７細胞株の培養上清から、酵素標識モノクローナル抗体ＳＭ−３によって検出できる抗原を捕捉することができた。さらにウエスターンブロッティングでは、両モノクローナル抗体はＰＥＭの分子量の位置に相当する分子を染色した。
【００１７】
モノクローナル抗体ＢＷ８３５の免疫学的特異性のデータが明らかとなるや、直ちに１０8個のモノクローナル抗体ＢＷ８３５産生ハイブリドーマ細胞からｍＲＮＡを分離し、モノクローナル抗体ＢＷ８３５のＨ鎖およびＬ鎖の可変領域（Ｖ）遺伝子をOrlandiら((1989)、 Proc. Natl. Acad. Sci. USA 86: 3833-3837)により記載された方法で分離した。 さらに、Ｖ遺伝子の本質的エクソン領域の核酸シーケンスをSangerら（(1977)、 Proc. Natl. Acad. Sci. USA 74: 5463-5467）の記載した方法で決定した（図１、図２）。
ＢＷ８３５のＨ鎖の可変領域のＤＮＡ配列およびアミノ酸配列は配列表の配列番号１および２に記載した。ＢＷ８３５のＬ鎖の可変領域のＤＮＡ配列およびアミノ酸配列は配列表の配列番号３および４に記載した。
【００１８】
ヒトの治療のためにマウス由来のモノクローナル抗体、例えばモノクローナル抗体ＢＷ８３５を繰り返し、高接種量で与えることにより、患者を免疫することが可能である。およそ１０−１４日後に抗マウス免疫グロブリン抗体（ＨＡＭＡ）を産生することができる（Millerら、(1983)、 Blood 62:988; Josephら、(1988)、 European Journal of Nuclear Medicine 14:367)。このようなＨＡＭＡは、モノクローナル抗体の薬物動態学および薬力学上、好ましくない影響を有するかもしれず、さらにそのような治療を継続するのを妨げるかもしれない。
【００１９】
可能な限り異種抗体の免疫原性を減少させるために、異種抗体のＶLおよびＶH分域（ドメイン）の相補性決定領域（ＣＤＲ）ループのみをヒト抗体のＶLおよびＶHドメインに移す技術が開発された（P. T. Jonesら、(1986)、 Nature 321：522)(G. Winter、 EP-A-87302620)。 この方法はヒューマニゼーション（ヒト化、humanization)と呼ばれ、ＶHおよびＶL遺伝子レべルで行われる。
【００２０】
抗体のヒト化の技術的手順は、本質的には３つのセクションに分けられる：特異的ＶHおよびＶL遺伝子のクローニングおよびその核酸シーケンスの解析、ヒトＶHおよびＶLドメインへのＣＤＲループ移転のためのコンピューター支援オリゴヌクレオチド合成デザインおよび特異的突然変異誘発によるヒトＶHおよびＶLドメインへのＣＤＲループの移転である（L. Riechmannら、(1988)、 Nature 332:323; M. Verhoeyenら、 (1988)、 Science 239:1534)。
【００２１】
この種のヒト化は、またin vivoでの利用性を高めるためにモノクローナル抗体ＢＷ８３５をもとに実施することもできる。 これにはモノクローナル抗体ＢＷ８３５のＶHおよびＶLドメイン（E.A. Kabatらにより同定。 Sequences of Proteins of Immunological Interest 第4版、 US Dept. of Health and Human Services、 US Goverment Printing Office)の本物と同じＣＤＲ領域、またはヒトＶHおよびＶLドメインに移されるいくつかの変更アミノ酸をもつＣＤＲ領域をを必要とするであろう。ヒト化されたモノクローナル抗体ＢＷ８３５の抗原結合特性における変化を最小限にするために、ＣＤＲ領域内に存在するフレームワーク領域のいくつかのアミノ酸は、マウス抗体からヒト化抗体（humanized antibody）に引き継がれうる。
【００２２】
ヒト化モノクローナル抗体ＢＷ８３５（humMab BW 835)の可変ドメインは、従って、マウスモノクローナル抗体ＢＷ８３５のいくつかのアミノ酸が変更されているか、または本物と同じマウスＣＤＲ領域が移されたヒトモノクローナル抗体の可変ドメインのフレームワーク領域（これは本物と同じかまたは数箇所において修飾されている）から成る。
【００２３】
【実施例】
下記の実施例では、Ｖ遺伝子のクローニングおよび核酸シーケンス解析、並びにキメラモノクローナル抗体としてのＢＷ８３５の特異性発現のために必要な工程を述べる。実施例１−１２で用いられた技術は、特に指定されない限り、分子クローニング、実験室手法（Molecular Cloning, a Laboratory Manual; Sambrook、Fritsch、 Maniatis; Cold Spring Harbor Laboratory、 1982 (11-44、 51-127、 133-134、 141、 146、 150-167、 170、 188-193、 197-199、 248-255、 270-294、 310-328、 364-401、 437-506ページ)および分子クローニング、実験室手法 第2版（Molecular Cloning, a Laboratory Manual Second Edition; Sambrook、 Fritsch、 Maniatis; Cold Spring Harbor Laboratory Press、 1989(16.2-16.22、 16.30-16.40、 16.54-16.55ページ)から採用した。
【００２４】
実施例１
ヒトIgG3△C遺伝子を含むプラスミドクローン54.1.24（図３）（DE-A1-38 25 615、 図３）をPstIで切断した。 これから生じたベクターを、生じたPstI挿入フラグメントのうち最大のものに連結し、 細菌にトランスフォームした。H1、H2およびH3エクソンが欠失している（IgG3△)ヒトIgG3△C遺伝子を含むプラスミドクローンＡを制限酵素分析および核酸シーケンス決定により同定した。
【００２５】
実施例２
該プラスミドクローンＡをHindIIIおよびEcoRIで切断し、 クレノーポリメラーゼで末端を補充し、IgG3△インサートを分離し、 SacIで切断しT4ポリメラーゼで平滑末端としたpUC19ベクターに連結した。 HindIII切断部位がpUC19ポリリンカーの５′末端に、EcoRIの切断部位が３′末端に位置するような方向に、IgG3△遺伝子が挿入されたプラスミドクローンＢを、制限地図および核酸シーケンス分析で同定した（図４）。
【００２６】
実施例３
プラスミドクローンＢをEcoRIおよびHindIIIで切断し、IgG3△インサートを分離し、同様にHindIIIおよびEcoRIで切断したKS+プラスミドベクター(pBluescript II KS+; Stratagene、 La Jolla、 CA)に連結した。  IgG3△遺伝子の５′末端および３′末端でBamHI切断部位と接するプラスミドクローンＣを分離した（図５）。
【００２７】
実施例４
プラスミドクローンＣをBamHIで切断し、IgG3△インサートを分離し、同様にBamHIで切断した発現ベクターpABStop (Wirthら (1988)、 Gene 73:419-426)に連結した。 図６に示した方向にIgG3△C遺伝子を含む発現プラスミドＤを同定した。このクローニングでpABStopベクターは、 二つのBamHI切断部位の間に位置するポリアデニル化シグナルおよびSV40ストップを失った。
【００２８】
実施例５
発現プラスミドＤをBamHIで部分的に切断し、末端をクレノーポリメラーゼで補充し再連結した。IgG3△遺伝子から３′側のBamHI切断部位が破壊された発現プラスミドＥを分離した（図７）。
【００２９】
実施例６
ヒトＣカッパ遺伝子（Hieterら (1982)、 J.Biol.Chem. 257:No.3 1516-1522)を、 P.Leder教授(Harvard Medical School)から分与されたpBR322でクローニングしたEcoRIフラグメントとして得た。 pBR322ベクターをEcoRIで切断し、 EcoRI切断部位を補充し、 Ｃカッパインサートを分離し、 SmaIで切断したpUC19ベクターに連結した。 Ｃカッパ遺伝子の５′末端でBamHI切断部位の後のHindIII切断部位と接し、３′末端でEcoRI切断部位と接するプラスミドクローンＦを分離した（図８）。
【００３０】
実施例７
プラスミドクローンＦをHindIIIおよびEcoRIで切断し、Ｃカッパインサートを分離し、 HindIII/EcoRI切断KS＋プラスミドでクローニングした。Ｃカッパインサートの５′および３′末端でBamHI切断部位と接するプラスミドクローンＧを分離した（図９）。
【００３１】
実施例８
プラスミドクローンＧをBamHIで切断し、Ｃカッパインサートを分離し、BamHIで切断したpABストップベクターでクローニングした。 pABストップベクターのHindIII切断部位がその５′末端側に位置するような方向に、Ｃカッパ遺伝子が挿入されているクローンＨを、制限地図および核酸シーケンス分析により同定した（図１０）。
【００３２】
実施例９
クローンＨを部分的にBamHIで切断し、制限末端を補充し再連結した。Ｃカッパ遺伝子の３′側のBamHI切断部位が破壊されているクローンＩを制限地図で同定した（図１１）。
【００３３】
実施例１０
モノクローナル抗体ＢＷ８３５のＶHおよびＶK遺伝子を、ＰＣＲ技法およびOrlandiらの方法(1989)による特異的オリゴヌクレオチドを用いて増幅し、適切な制限酵素切断部位を有し、 ＶHおよびＶK遺伝子を含むKS＋ベクター(GuessowおよびSeemann (1991)、 Methods in Enzymology 203巻)（ＶHについては図１２ａ、ＶKについては図１２ｂ）でクローニングした。モノクローナル抗体ＢＷ８３５のＶH（K1)およびＶK(K2)遺伝子を含むクローンＫ１およびＫ２を分離した（図１３）。
【００３４】
実施例１１
クローンＫ１およびＫ２からのモノクローナル抗体ＢＷ８３５のＶHおよびＶK遺伝子の核酸シーケンスを、Sangerら(1977)の方法で決定した（図１および図２）。Saragoviらの方法(Saragoviら (1991)、 Science 253:792-795)によって、このシーケンスからのＣＤＲに基づき模倣物を製作することができる。
さらにＶHおよびＶK遺伝子インサートを、制限酵素エンドヌクレアーゼHindIIIおよびBamHIを用いてクローンＫ１およびＫ２から切り出し、同様にHindIIIおよびBamHIで切断したベクターＤ（ＶH）およびＩ（ＶK）でクローニングした。モノクローナル抗体ＢＷ８３５の可変遺伝子を有する免疫グロブリンＨ鎖（Ｌ1）（図１４）およびＬ鎖（Ｌ2）（図１５）遺伝子を含む、発現ベクターＬ1およびＬ2を分離した。発現ベクターＬ1およびＬ2は、モノクローナル抗体ＢＷ８３５の特異性を有するキメラモノクローナル抗体の発現のために用いることができる。
【００３５】
実施例１２および１３は悪性腫瘍の血清学的診断のためのモノクローナル抗体ＢＷ８３５の使用を説明するためのものである。
実施例１２
マイクロタイタープレート（NUNC）の穴の壁にモノクローナル抗体ＢＷ８３５を、 当業者にとり既知の方法で吸着により結合させた（P.Tijssen“Practice and theory of enzyme immunoassay" Elsevier (1988)、 297-328)。 上記のように準備し、さらに各々１００μlの緩衝液（OSND、 Behringwerke）を含む各穴に、１０μlのサンプルをピペットで分注し、さらに３７℃で２時間インキュベートした。希釈Enzygnost洗浄用緩衝液（OSEW、 Behringwerke）で３度洗浄後、既知の方法でペルオキシダーゼと結合させたモノクローナル抗体ＢＷ８３５の１００μl（１μg／ml）を各穴に加えた。 その後３７℃で２時間インキュベートし、該工程後３度洗浄した。続いて３番目の室温でのインキュベーション工程のために、１００μlの緩衝液／基質色原体溶液（OUVG／OUVF、 Behringwerke）を、 各穴にピペットで分注し、酵素反応を１００μlのEnzygnost停止溶液（OSFA、 Behringwerke）で３０分後に停止させた。サンプルの消光を４５０ｎｍで測定した。
結果
この方法で測定した消光の程度は、サンプル中の抗原濃度に対応する。悪性腫瘍をもつ患者の血清または血漿中の、モノクローナル抗体ＢＷ８３５に特異的に結合することにより識別される抗原の濃度は、健康な患者のそれと比較して明らかに上昇していた（図１６）。このことは、特に乳房の癌の後期にある患者に当てはまり、しかも驚くべきことに、血清中の乳癌関連抗原検出用の市販腫瘍マーカーテストで非常にしばしば偽陰性を示す初期癌患者にも当てはまり、従って、記載したような同種例では、全体的に優れた感度が認められた。
実施例１３
モノクローナル抗体ＢＷ８３５と組み合わせた二重抗原決定基分析において、血清中のＰＥＭを検出するために、該抗体により識別される腫瘍関連抗原上の別のエピトープを認識する他のペルオキシダーゼ標識抗体を用いることも可能である。このために、例えば、実施例１２と類似のテストを、文献に開示されたDF3抗体（Kufe (1984)、 Hybridoma 3:223）を連結用成分としてペルオキシダーゼ標識形（CA15-3-Test、Boehringer Mannheim）を用いて実施した。
結果
固相結合ＢＷ８３５を補足するために連結用成分として、 例えばDF3-PODを使用することにより、正常血清プールおよび良性疾患患者と比較して、腫瘍血清は明らかに高い血清値を示した。このことにより、重ねて、モノクローナル抗体ＢＷ８３５の、腫瘍マーカーテストのための特異的な成分としての有用性が強調される（図１７）。
【００３６】
【配列表】
0003996649.tif 000004
0003996649.tif 000005
0003996649.tif 000006
【図面の簡単な説明】
【図１】ＢＷ８３５ ＶＨの核酸シーケンスを示す。
【図２】ＢＷ８３５ ＶＫの核酸シーケンスを示す。
【図３】ヒトIgG3△遺伝子を含むプラスミドクローン54.1.24からの、Ｈ１、Ｈ２およびＨ３エクソンが欠失しているヒトIgG3△遺伝子を含むプラスミドクローンＡの構築過程を示す。
【図４】プラスミドクローンＡをHindIIIおよびEcoRIで切断した断片をpUC19ベクターに連結するIgG3△遺伝子が挿入されたプラスミドクローンＢの構築過程を示す。
【図５】プラスミドクローンＢをEcoRIおよびHindIIIで切断してIgG3△インサートを分離し、同様にHindIIIおよびEcoRIで切断したＫＳ＋プラスミドベクターと連結してIgG3△遺伝子の５′および３′末端でBamHIと接するプラスミドクローンＣを構築する過程を示す。
【図６】プラスミドクローンＣをBamHIで切断し、同様にBamHIで切断した発現ベクターpAB Stopと連結してIgG3△遺伝子を含むプラスミドＤを構築する過程を示す。
【図７】発現プラスミドＤをBamHIで切断し、末端補充し再連結してIgG3△遺伝子から３′側のBamHI切断部位が破壊された発現プラスミドＥの構築の過程を示す。
【図８】  pBR322でクローニングしたヒトＣカッパ遺伝子をSmalで切断したpUC19ベクターに連結してＣカッパ遺伝子を含むプラスミドクローンＦを構築する過程を示す。
【図９】プラスミドクローンＦをHindIIIおよびEcoRIで切断した断片をＫＳ＋プラスミドに連結してＣカッパインサートを有するプラスミドクローンＧを構築する過程を示す。
【図１０】プラスミドクローンＧをBamHIで切断してＣカッパインサートを分離し、同様にBamHIで切断したｐＡＢストックベクターと連結してＣカッパ遺伝子が挿入されたクローンＨを構築する過程を示す。
【図１１】クローンＨを部分的にBamHIで切断し、末端補充し再連結してＣカッパ遺伝子の３′側のBamHI切断部位が破壊されたクローンＩを構築する過程を示す。
【図１２】ａはモノクローナル抗体ＢＷ８３５のＶH遺伝子、ｂはモノクローナル抗体ＢＷ８３５のＶK遺伝子を示す。
【図１３】モノクローナル抗体ＢＷ８３５のＶHおよびＶK遺伝子をＰＣＲによって増幅し、夫々ＫＳ＋ベクターに挿入して得られるモノクローナル抗体ＢＷ８３５のＶHおよびＶH遺伝子を含むクローンＫ１およびクローンＫ２を示す。
【図１４】遺伝子インサートをクローンＫ１から切り出し、HindIIIおよびBamHIで切断したベクターＤと連結して発現ベクターＬ1を構築する過程を示す。
【図１５】ＶK遺伝子インサートをクローンＫ２から切り出し、HindIIIおよびBamHIで切断したベクターＩと連結して発現ベクターＬ2を構築する過程を示す。
【図１６】血清試料中の抗原濃度をモノクローナル抗体ＢＷ８３５を用いて測定した結果を示す。
【図１７】  DF3-PODを使用することによりＢＷ８３５が腫瘍マーカーテストのための特異成分として有用であることを示す試験結果を示す。
【図１】
0003996649.tif 000007
【図２】
0003996649.tif 000008
【図３】
0003996649.tif 000009
【図４】
0003996649.tif 000010
【図５】
0003996649.tif 000011
【図６】
0003996649.tif 000012
【図７】
0003996649.tif 000013
【図８】
0003996649.tif 000014
【図９】
0003996649.tif 000015
【図１０】
0003996649.tif 000016
【図１１】
0003996649.tif 000017
【図１２】
0003996649.tif 000018
【図１３】
0003996649.tif 000019
【図１４】
0003996649.tif 000020
【図１５】
0003996649.tif 000021
【図１６】
0003996649.tif 000022
【図１７】
0003996649.tif 000023